(57)【要約】
【課題】
　動作適応性が良好で、而も事務所内や工場内に於ける一般作業にも着用できる外観の優れた作業用ズボンの提供。
【解決手段】
　股下寸法Ｍを実寸寸法よりも長丈となし、且つ腰部２ａから膝部２ｂにかけて比較的ゆとりのある膨らみを形成して膝下から狭くするほか、裾口２ｃから一定高さＨの裾部分を同じ巾寸法Ｗ３の狭幅なものとなしたことを特徴とする。
【選択図】　図１
0003099322.tif 000002
【実用新案登録請求の範囲】
【請求項１】
　腰部から膝部にかけて比較的ゆとりのある膨らみを形成し、該脚筒部の股下寸法を実寸寸法より凡そ５ｃｍ長いものとなすと共に、腰部から膝下部にかけて各部位の巾寸法を一定比で狭くするほか、膝下部の裾口から一定高さの裾部分を同じ巾寸法で且つ狭幅なものに形成したことを特徴とする作業用ズボン。
【請求項２】
　膝部の腰部に対する巾寸法の比率を０．７５〜０．８５程度、裾部の膝部に対する巾寸法の比率を０．６５〜０．７５程度となしたことを特徴とする請求項１記載の作業用ズボン。
【請求項３】
　股下寸法を凡そ７５ｃｍ〜８２ｃｍで、膝下部の裾口から凡そ１０ｃｍの高さの裾部分を同じ巾寸法となしたことを特徴とする請求項１又は２記載の作業用ズボン。
【請求項４】
　裾部の巾寸法を凡そ２０ｃｍ〜２２ｃｍとなしたことを特徴とする請求項１〜３何れか１つに記載の作業用ズボン。
【考案の詳細な説明】
【技術分野】
【０００１】
　本考案は、動作適応性が良好な作業用ズボンに関する。
【背景技術】
【０００２】
　作業用ズボンは、着用者が従事する業務内容に従って、仕事や動作に対応するものでなくてはならない。従来より、建築現場や高所作業においては、動きやすく且つ危険防止のためにニッカズボンや鳶ズボン等が着用されている。これらのニッカズボンや鳶ズボンは、腰部から膝部にかけて広幅にすることで動作適応性を良好となし、また足元を絞ることで危険防止を可能となしている。
【０００３】
　しかしながら、このようなニッカズボンや鳶ズボンは、外観が特異的であるため一般的な作業用ズボンには不向きであり、事務所内や工場内に於ける一般作業では殆ど着用されていない。
　また、これらのニッカズボンや鳶ズボンは、脹ら脛から足首にかけて脚絆などで絞ることにより危険防止を可能としているが、足首や脹ら脛が圧迫されるために、長時間の着用では健康を害することもあった。
【０００４】
　上記問題点の解決策として、平ズボンの裾部に裾巾を絞るためのボタンやファスナー等の止着手段を取り付け、この止着手段を介してズボン裾を適宜拡げたり絞ったりして、使用状況に応じた着こなしを可能になした作業用ズボン（特許文献１、２参照）や、ズボン内側の股下部に細長い襠布を縫着して動作適応性を向上させた作業用ズボン（特許文献３参照）が作成されている。
【特許文献１】実開平６−７６３０９号公報
【特許文献２】登録実用新案第３０１２３０５号公報
【特許文献３】登録実用新案第３０４４７７６号公報
【０００５】
　しかしながら、上記特許文献１、２のものでは、裾部に取り付けられたボタンやファスナーなどによる違和感があり、特許文献３のものにも、股下部に縫着された襠布の縫い目による違和感は否めず、これらの作業用ズボンは決して着心地の良いものではなかった。
【０００６】
　また、ズボンの購入時には、着用者の体型に合わせてズボン丈の寸法調節が行われるが、一般に、ズボン丈を短くする場合には、裾部を裾口から長い寸法だけ切断したり折り曲げたりする。この場合、裾部に止着手段を取り付けた上記特許文献１、２の作業用ズボンでは、その調節作業は困難で手間が掛かるという問題点がある。
　また、上記特許文献３の場合を含め、裾部に特殊な装飾がなされていない通常の平ズボンは、腰部から膝下部にかけて各部位の巾寸法が徐々に狭くなるように形成されているため、長さ調節のために裾部を切断したり折り曲げたりした場合には、裾口の巾寸法が広幅なものとなり、裾部が邪魔になって作業に支障をきたしたり、それが為に作業効率を低下させることもある。
【考案の開示】
【考案が解決しようとする課題】
【０００７】
　本考案は、上記問題点を解決するものであり、動作適応性が良好で、而も事務所内や工場内に於ける一般作業にも着用できる外観の優れた作業用ズボンを提供せんとするものである。
【課題を解決するための手段】
【０００８】
　本考案は、一般的な平ズボンの股下よりも長丈で、且つ腰部から膝部にかけて比較的ゆとりのある膨らみを形成して膝下から狭くするほか、裾口から一定高さの裾部分を同じ巾寸法の狭幅なものとなしたことを特徴とする。この際、股下寸法は実寸寸法より凡そ５ｃｍ長いものになしてある。
【０００９】
　具体的には、通常のＳ、Ｍ、Ｌのサイズのものに於いて、股下寸法は７５ｃｍ〜８２ｃｍとなし、膝下部の裾口から凡そ１０ｃｍの高さの裾部分を凡そ２０ｃｍ〜２２ｃｍの裾巾寸法になし、膝部の腰部に対する巾寸法の比率を０．７５〜０．８５程度、裾部の膝部に対する同比率を０．６５〜０．７５程度となすのである。
【考案の効果】
【００１０】
　本考案の作業用ズボンは、腰部から膝部にかけて従来のニッカズボン並のゆとりが形成されるものとなるが、その外観は一般的な平ズボンと略同等になされるため、事務所内や工場内の一般的な作業に於いても違和感なく着用することができる。また、裾巾寸法が裾口より一定高さに於いて凡そ２０ｃｍ〜２２ｃｍの狭幅になされるため、ズボン裾の引きずりがなくなり、特別な裾上げ作業の手間が省けるほか、裾部が邪魔にならないので危険防止も可能になる。
【考案を実施するための最良の形態】
【００１１】
　動作適応性が良好で且つ使い勝手の良い作業用ズボンに形成するという目的を、実寸寸法より長丈の平ズボンの各部位に於ける巾寸法を一定比で構成することにより、ズボン本来の外観形状を損なわずに実現した。
【実施例１】
【００１２】
　図１は本考案に係る作業用ズボンの一実施例を示す正面図、図２は同側面図であり、１は作業用ズボン本体であって、左右に腰部から膝部にかけて比較的ゆとりのある膨らみを形成した脚筒部２、２を備えている。
【００１３】
　上記脚筒部２は、股下寸法Ｍを実寸寸法より凡そ５ｃｍ長いものとなし、一般的なＳ、Ｍ、Ｌのサイズのものに於いて、７５ｃｍ〜８２ｃｍになしてある。
【００１４】
　この際、脚筒部２は腰部から膝下部にかけて一定の比率で狭くなされるのであり、具体的には、腰部２ａに於けるワタリ寸法Ｗ１に対する膝部の巾寸法Ｗ２の比率が０．７５〜０．８５、膝部２ｂの巾寸法Ｗ２に対する裾口２ｃの巾寸法Ｗ３の比率が０．６５〜０．７５になされるものとなる。即ち、脚筒部２は、腰部２ａから膝部２ｂにかけてゆとりを大きくもたせ、膝下からは比較的狭幅なものに形成されるのである。
【００１５】
　次に、この脚筒部２の形状を一般的な平ズボン及びニッカズボンとの比較に於いてより詳細に説明する。
　図３は、作業用ズボン本体１と一般的な平ズボンとの比較を示すものであり、本考案の作業用ズボン本体１を分解した左前身頃３を実線で示し、同様に一般的な平ズボンの左前身頃４を二点鎖線で示す。即ち、本考案の作業用ズボンは、該図に示されるように、腰部２ａから膝部２ｂにかけては一般的な平ズボンに比べてゆとりのある膨らみが形成され、そして膝下から裾口２ｃにかけては腰部２ａから膝部２ｂとは対照的に比較的狭幅なものになされている。
【００１６】
　図４は、図３と同様に、本考案の作業用ズボン本体１とニッカズボンとの比較を示すものであり、ニッカズボンの左前身頃５が二点鎖線で示されている。該図に示すように、作業用ズボン本体１は、全体的にニッカズボンよりもスリムに形成されているが、上記した腰部２ａから膝部２ｂにかけては、ニッカズボンと略同等のゆとりがあるものに形成されている。
【００１７】
　従って、本考案に係る作業用ズボンは、腰部や膝部に於けるゆとりが大きくなされるので、非常に動き易く動作適応性が良好なものとなる。一方、膝下部は狭幅なものになされることから、ズボン裾が邪魔になることはないので、従来のニッカズボンのように膝下部を脚絆などで絞る必要はない。
【００１８】
　この際、狭幅になされる膝下部は、膝部２ｂから裾口２ｃに向けて徐々に狭くなり、裾口２ｃから一定高さＨの裾部分が同じ巾寸法Ｗ３になされる。この高さ寸法Ｈは、上記股下寸法Ｍに対応して凡そ１０ｃｍ程度になされ、また裾巾寸法Ｗ３は、凡そ２０ｃｍ〜２２ｃｍになしてある。この裾巾寸法Ｗ３は、普通体型の成人の足サイズよりも小さいものであり、これにより、狭幅に形成した裾部が着用時に着用者の足甲に引っ掛かるものとなり、実寸寸法より凡そ５ｃｍ程度長丈に形成したズボン裾も引きずられることはない。
【００１９】
　ここに、本考案の作業用ズボンは、裾口から凡そ１０ｃｍの高さの裾部分を上記寸法の狭幅なものになしてあるが、股下寸法Ｍが実寸寸法よりも凡そ５ｃｍ程度長いので、実質的には裾部に縦方向のゆとりが形成された状態となり、裾口２ｃが安定的に足甲を被覆させるものとなる。これにより、作業用ズボン本体１は、裾部が邪魔にならず、動作適応性が良好で且つ安全性を備えたものとなる。
【図面の簡単な説明】
【００２０】
【図１】本考案に係る作業用ズボンの正面図である。
【図２】同側面図である。
【図３】本考案に係る作業用ズボンと一般的な平ズボンとの比較を示す図である。
【図４】本考案に係る作業用ズボンとニッカズボンとの比較を示す図である。
【符号の説明】
【００２１】
　１　作業用ズボン本体
　２　脚筒部
　２ａ　腰部
　２ｂ　膝部
　２ｃ　裾口
　３　左前身頃（作業用ズボン本体１に於ける）
　４　左前身頃（一般的な平ズボンに於ける）
　５　左前身頃（ニッカズボンに於ける）
　Ｈ　高さ寸法
　Ｍ　股下寸法
　Ｗ１　ワタリ寸法
　Ｗ２　膝巾寸法
　Ｗ３　裾巾寸法
【図１】
0003099322.tif 000003
【図２】
0003099322.tif 000004
【図３】
0003099322.tif 000005
【図４】
0003099322.tif 000006